(57)【特許請求の範囲】
【請求項１】
装着されたディスクからデータを読み出すデータ読み出し装置であって、
前記ディスクのウォーターマークが記憶されるべき領域から読みだして再生したＲＦ信号から得られるＰＳＰ（Pit Signal Processing）データ値によって前記ディスクの種類を判別し、判別された前記種類に応じて前記ディスクに対する再生動作を制御する制御手段
を備えたことを特徴とするデータ読み出し装置。
【請求項２】
装着されたディスクからデータを読み出すデータ読み出し方法であって、
前記ディスクのウォーターマークが記憶されるべき領域から読みだして再生したＲＦ信号から得られるＰＳＰ（Pit Signal Processing）データを生成する第一のステップと、
前記第一のステップにおいて生成された前記データの値によって前記ディスクの種類を判別する第二のステップと、
前記第二のステップにおいて判別された前記種類に応じて前記ディスクに対する再生を実行する第三のステップと
を有することを特徴とするデータ読み出し方法。
【請求項３】
装着されたディスクに記録された音声データ及び画像データを再生するデータ再生装置であって、
前記音声データをデコードする第一のデコード手段と、
前記画像データをデコードする第二のデコード手段と、
前記ディスクのウォーターマークが記憶されるべき領域から読みだして再生したＲＦ信号から得られるＰＳＰ（Pit Signal Processing）データ値によって前記ディスクの種類を判別し、前記ディスクが前記音声データのみを記録した種類であると判別された場合には再生された前記音声データを前記第一のデコード手段にデコードさせ、前記ディスクが前記画像データを記録した種類であると判別された場合には再生された前記画像データを前記第二のデコード手段にデコードさせる制御手段と
を備えたことを特徴とするデータ再生装置。
【請求項４】
前記第一のデコード手段は、前記音声データをデジタルパルスの周波数密度に変換する
請求項３に記載のデータ再生装置。
【請求項５】
装着されたディスクに記録された音声データ及び画像データを再生するデータ再生方法であって、
前記ディスクのウォーターマークが記憶されるべき領域から読みだして再生したＲＦ信号から得られるＰＳＰ（Pit Signal Processing）データ値によって前記ディスクの種類を判別する第一のステップと、
前記第一のステップにおいて前記ディスクが前記音声データのみを記録した種類であると判別された場合には再生された前記音声データを第一のデコード手段にデコードさせ、前記ディスクが前記画像データを記録した種類であると判別された場合には再生された前記画像データを第二のデコード手段にデコードさせる第二のステップと
を有することを特徴とするデータ再生方法。
【発明の詳細な説明】
【０００１】
【発明の属する技術分野】
本発明は、媒体に記録された音声信号及び画像信号を読み出すデータ読み出し装置及びデータ読み出し方法と、該データ読み出し装置によって読み出された信号に基づいて音声や画像を再生するデータ再生装置及びデータ再生方法に関するものである。
【０００２】
【従来の技術】
次世代音楽用ＣＤの規格により音声信号が記録されたスーパーオーディオＣＤ（以下、「ＳＡＣＤ」とも記す。）と、次世代の大容量記録媒体であるＤＶＤとを共に再生し得る従来のシステムにおいては、まず装着された媒体がＳＡＣＤであるものと仮定した上で、ウォーターマークと呼ばれる著作権保護のための暗号を解読する。すなわち、このウォーターマークの中には暗号化されたコンテンツを復号するための鍵が埋め込まれているため、該鍵を取得するためにウォーターマークの解読が実行される。
【０００３】
そして上記従来のシステムは、著作権保護のための暗号を解読できない場合に、装着された該媒体よりＴＯＣ（Table Of Contents）情報を読み出し、該ＴＯＣ情報に基づいて該媒体がＳＡＣＤであるかＤＶＤであるかを判別していた。以下において、該従来のシステムによる動作を図３のフローチャートを参照しつつ説明する。
【０００４】
まずステップＳ１では、該システムを構成する各ＩＣのパラメータが初期設定される。そして、ステップＳ２では該システムにディスクが装着されたことを物理的に判別し、該ディスクを回転させる。
【０００５】
次に、ステップＳ３においてピックアップや各種の再生パラメータを調整するが、初期状態においては装着されたディスクがＳＡＣＤであるものと仮定した自動調整を行う。そして、ステップＳ４において該ディスクに格納されたウォーターマークが解読できるか否かを判断し、解読できると判断した場合にはステップＳ５へ進むと共に解読できないと判断された場合にはステップＳ１０へ進む。
【０００６】
そして、ステップＳ５でＳＡＣＤのＴＯＣ情報を入手し、ステップＳ６で該ＴＯＣ情報に基づいてＳＡＣＤを再生する。
【０００７】
一方、ステップＳ１０ではウォーターマークの解読動作回数が予め設定された設定値を超えるか否かを判断し、超えると判断した場合にはステップＳ１１へ進み、超えないと判断した場合にはステップＳ４へ戻ってウォーターマークの解読動作を上記設定値に示された回数まで繰り返す。
【０００８】
ステップＳ１１では装着されたディスクのＴＯＣ情報を読み出し、ステップＳ１２で該ＴＯＣ情報に基づいて該ディスクがＤＶＤであるか否かを判断する。そして、該ディスクがＤＶＤであると判断された場合にはステップＳ１３へ進み、ＤＶＤの再生動作を実行する。
【０００９】
一方、ステップＳ１２において装着されたディスクがＤＶＤではないと判断された場合にはステップＳ２０へ進み、ウォーターマークが解読できるか否かを判断し、解読できると判断した場合にはステップＳ２１へ進むと共に解読できないと判断した場合にはステップＳ３０へ進む。ここで、ステップＳ２１ではＳＡＣＤのＴＯＣ情報を入手し、ステップＳ２２で該ＴＯＣ情報に基づいてＳＡＣＤを再生する。
【００１０】
また、ステップＳ３０ではウォーターマークの解読動作回数が予め設定された設定値を超えるか否かを判断し、該解読動作回数が該設定値を超えると判断した場合にはステップＳ３１へ進みディスクエラーと判断すると共に、超えないと判断した場合にはステップＳ２０へ戻って上記設定値に示される回数までウォーターマークの解読動作を繰り返す。
【００１１】
しかしながら、上記のような従来のシステムでは、ウォーターマークの解読にあたり、外乱や温度変化によって該ディスクからデータを読み出すことが困難である場合や、電源や該ディスクの状態が悪い場合等にはディスクの判別ができず、ひいてはフォーマット上問題のないディスクを再生することができないという問題があった。
【００１２】
また、上記のような従来のシステムでは、ウォーターマークの解読動作のみならず、解読できない場合にはさらにディスクからＴＯＣ情報を読み出すことにより初めてディスクがＳＡＣＤであるかＤＶＤであるかを判別するため、該ディスクの再生開始までの時間がかかるという問題もあった。
【００１３】
【発明が解決しようとする課題】
本発明は上記のような問題を解消するためになされたもので、装着されたディスクの種類を精度良く高速に判別して再生動作を高速に開始し得るデータ読み出し装置及びデータ読み出し方法と、データ再生装置及びデータ再生方法を提供することを目的とする。
【００１４】
【課題を解決するための手段】
本発明のデータ読み出し装置は、装着されたディスクからデータを読み出すデータ読み出し装置であって、前記ディスクのウォーターマークが記憶されるべき領域から読みだして再生したＲＦ信号から得られるＰＳＰ（Pit Signal Processing）データ値によって前記ディスクの種類を判別し、判別された前記種類に応じて前記ディスクに対する再生動作を制御する制御手段を備えたことを特徴とする。
【００１５】
また本発明のデータ読み出し方法は、装着されたディスクからデータを読み出すデータ読み出し方法であって、前記ディスクのウォーターマークが記憶されるべき領域から読みだして再生したＲＦ信号から得られるＰＳＰ（Pit Signal Processing）データを生成する第一のステップと、前記第一のステップにおいて生成された前記データの値によって前記ディスクの種類を判別する第二のステップと、前記第二のステップにおいて判別された前記種類に応じて前記ディスクに対する再生を実行する第三のステップとを有することを特徴とする。
【００１６】
さらに本発明のデータ再生装置は、装着されたディスクに記録された音声データ及び画像データを再生するデータ再生装置であって、前記音声データをデコードする第一のデコード手段と、前記画像データをデコードする第二のデコード手段と、前記ディスクのウォーターマークが記憶されるべき領域から読みだして再生したＲＦ信号から得られるＰＳＰ（Pit Signal Processing）データ値によって前記ディスクの種類を判別し、前記ディスクが前記音声データのみを記録した種類であると判別された場合には再生された前記音声データを前記第一のデコード手段にデコードさせ、前記ディスクが前記画像データを記録した種類であると判別された場合には再生された前記画像データを前記第二のデコード手段にデコードさせる制御手段とを備えたことを特徴とする。
本発明のデータ再生方法は、装着されたディスクに記録された音声データ及び画像データを再生するデータ再生方法であって、前記ディスクのウォーターマークが記憶されるべき領域から読みだして再生したＲＦ信号から得られるＰＳＰ（Pit Signal Processing）データ値によって前記ディスクの種類を判別する第一のステップと、前記第一のステップにおいて前記ディスクが前記音声データのみを記録した種類であると判別された場合には再生された前記音声データを第一のデコード手段にデコードさせ、前記ディスクが前記画像データを記録した種類であると判別された場合には再生された前記画像データを第二のデコード手段にデコードさせる第二のステップとを有することを特徴とする。
【００１７】
このような手段によれば、ディスクに記録されたＴＯＣ情報を読み出すことなくディスクの種類を判別することができるため、音声データ及び画像データが記録されたディスクを種別に応じて高速に再生することができる。
【００１８】
【発明の実施の形態】
以下において、本発明の実施の形態を図面を参照しつつ詳しく説明する。なお、図中同一符号は同一または相当部分を示す。
【００１９】
図１は、本発明の実施の形態に係るデータ再生装置の構成を示すブロック図である。図１に示されるように、本実施の形態に係るデータ再生装置１はデータ読み出し装置３とビデオブロック５、オーディオブロック７を備える。
【００２０】
そして、データ読み出し装置３はピックアップ１０とＲＦアンプ１１、ＣＤ用ＤＳＰ・サーボ部１２、ドライバ１３、ＤＶＤ用ＤＳＰ１４、ＭＣＵ（microcomputer unit）１５及びＤＳＤデコーダ１６を含み、ビデオブロック５はＭＰＥＧ２ブロック２０とＭＰＥＧ・ＤＳＤコントロール用のＭＣＵ２１、及びユーザコントロール／ディスプレイ２３を含む。また、オーディオブロック７は、ＤＳＤ対応のＤ／Ａコンバータ３０とＣＤ−ＤＡ対応のＤ／Ａコンバータ３１、及びＤＶＤオーディオ対応のＤ／Ａコンバータ３３を含む。
【００２１】
ここで、データ読み出し装置３においては、ＲＦアンプ１１がピックアップ１０に接続され、ＣＤ用ＤＳＰ・サーボ部１２はＲＦアンプ１１及びＭＣＵ１５に接続される。また、ドライバ１３はＣＤ用ＤＳＰ・サーボ部１２に接続され、ピックアップ１０を制御する。また、ＤＶＤ用ＤＳＰ１４及びＤＳＤデコーダ１６はＲＦアンプ１１及びＣＤ用ＤＳＰ・サーボ部１２に接続される。さらに、ＤＳＤデコーダ１６はＤＶＤ用ＤＳＰ１４に接続される。また、ＭＣＵ１５はＤＳＤデコーダ１６と相互接続され、ＣＤ用ＤＳＰ・サーボ部１２を制御する。
【００２２】
また、ビデオブロック５においては、ＭＰＥＧ２ブロック２０がＤＶＤ用ＤＳＰ１４とＡＶインタフェース線ＡＶにより相互接続されると共に、ＭＣＵ２１により制御される。そして、ＭＣＵ２１はＭＣＵ１５とコマンド線ＣＭにより相互接続されると共に、ＤＳＤデコーダ１６とＤＳＤ制御線ＤＣにより相互接続される。なお、ビデオブロック５にはユーザによる入力を受け付けると共に、再生画像を表示するユーザコントロール／ディスプレイ２３が含まれる。
【００２３】
また、オーディオブロック７においては、ＤＳＤ対応のＤ／Ａコンバータ３０とＤＳＤデコーダ１６、ＣＤ−ＤＡ対応のＤ／Ａコンバータ３１とＣＤ用ＤＳＰ・サーボ部１２、ＤＶＤオーディオ対応のＤ／Ａコンバータ３３とＭＰＥＧ２ブロック２０が、それぞれオーディオ線ＡＤにより接続される。
【００２４】
以下において、上記のような構成を有するデータ再生装置１の動作を、図２に示されたフローチャートを参照しつつ説明する。
【００２５】
まずステップＳ１では、データ読み出し装置３とビデオブロック５及びオーディオブロック７を構成する各ＩＣにおいて、種々の再生パラメータが初期設定される。ステップＳ２では、データ再生装置１にディスクが装着されたことを物理的に判別し、該ディスクを回転させる。ステップＳ３では、ピックアップ１０や上記再生パラメータを自動調整する。
【００２６】
ここで、ピックアップ１０により得られたＲＦ信号はＲＦアンプ１１により増幅され、ＣＤ用ＤＳＰ・サーボ部１２及びＤＶＤ用ＤＳＰ１４へ供給される。そして、ＣＤ用ＤＳＰ・サーボ部１２はＭＣＵ１５からの制御信号に応じてドライバ１３を制御すると共に、ＲＦアンプ１１から供給されたＲＦ信号をデジタル化してデコードし、ＤＶＤ用ＤＳＰ１４とＤＳＤデコーダ１６及びＤ／Ａコンバータ３１へ供給する。
【００２７】
また、ＤＶＤ用ＤＳＰ１４は供給されたＲＦ信号に同期したパルスロックトクロック（Pulse Locked Clock）信号ＰＬＣＫを生成する。また、ＤＳＤデコーダ１６はデジタル信号の大小をデジタルパルスの周波数密度で表現するＤＳＤ（Direct Stream Digital）方式により、ＣＤ用ＤＳＰ・サーボ部１２から供給されたデジタル信号をＤＳＤ信号へ変換する。なお、このＤＳＤ方式ではＡ／Ｄ変換された信号がパルス列によりそのまま記録され、記録された該信号はアナログローパスフィルタを通すだけといった簡易なシステムにより再生される。
【００２８】
さらに、ＤＳＤデコーダ１６はＲＦアンプ１１から供給されたＲＦ信号及びＤＶＤ用ＤＳＰ１４から供給されたパルスロックトクロック信号ＰＬＣＫに応じて、装着されたディスクに記録されたウォーターマークに該当するデータを取得する。このとき、ＤＳＤデコーダ１６は供給されたＲＦ信号の再生状態において再生信号中におけるウォーターマークの有無とに依存したＰＳＰ（Pit Signal Processing）アンプリチュードと呼ばれるバイナリデータ（「ＰＳＰデータ値」とも呼ぶ）を生成すると共に、生成されたＰＳＰデータ値が所定値を超える場合にウォーターマークの存在を示すフラグを活性化させる。なお、再生信号中にウォーターマークが入っていない場合には、上記ＰＳＰデータ値は０とされる。
【００２９】
ここで、ステップＳ４においてＭＣＵ１５は、ＤＳＤデコーダ１６において生成されるＰＳＰデータ値が０であるか否かを判断する。そして、０でないと判断した場合には、再生対象とするディスクはウォーターマークが予め記録されているＳＡＣＤであるとしてステップＳ１０へ進むと共に、０であると判断した場合にはステップＳ５へ進む。なお、ＭＣＵ１５は定期的に上記フラグの状態を監視し、活性化されたフラグが観測された場合において初めて、ＣＤ用ＤＳＰ・サーボ部１２に対しＳＡＣＤの再生動作を指示する。
【００３０】
ステップＳ５では、データ読み出し装置３は装着されたディスクのＴＯＣ情報を読み出し、ＭＣＵ１５は該ＴＯＣ情報に基づいて該ディスクがＤＶＤであるかＳＡＣＤであるかを判断する。ここで、ＭＣＵ１５は該ディスクがＤＶＤであると判断した場合にはステップＳ７へ進んでＤＶＤの再生動作を開始すると共に、ＤＶＤではなくＳＡＣＤであると判断した場合にはステップＳ８へ進んでＳＡＣＤの再生動作を開始する。
【００３１】
なお、ステップＳ７におけるＤＶＤの再生動作では、ＣＤ用ＤＳＰ・サーボ部１２はＭＣＵ１５から供給された制御信号に応じて、生成されたデジタル信号をＤＶＤ用ＤＳＰ１４へ供給し、ＤＶＤ用ＤＳＰ１４は供給されたデジタル信号に応じて得られた音声及び画像のデジタル信号をＡＶインタフェース線ＡＶを介してＭＰＥＧ２ブロック２０へ供給する。そして、ＭＰＥＧ２ブロック２０は、ＭＣＵ２１から供給される制御信号に応じて供給された信号をデコードすることにより画像信号を再生すると共に、デジタル音声信号をオーディオ線ＡＤを介してＤ／Ａコンバータ３３へ供給する。これにより、Ｄ／Ａコンバータ３３は供給されたデジタル音声信号をアナログ変換することにより、ＤＶＤに記録された音声信号を再生する。
【００３２】
一方、ステップＳ８におけるＳＡＣＤの再生動作では、ＣＤ用ＤＳＰ・サーボ部１２はＭＣＵ１５から供給された制御信号に応じて、デジタル化された音声信号をＤ／Ａコンバータ３１及びＤＳＤデコーダ１６へ供給する。このとき、Ｄ／Ａコンバータ３１が供給されたデジタル信号をアナログ変換することにより、音声信号が再生される。
【００３３】
一方、ＤＳＤデコーダ１６はオーディオ線ＡＤを介してＤＳＤ信号をＤ／Ａコンバータ３０へ供給し、Ｄ／Ａコンバータ３０がこのＤＳＤ信号をアナログ変換することによって音声信号が再生される。
【００３４】
なお、上記のようなＤＶＤ及びＳＡＣＤの再生動作においては、ＭＣＵ１５とＭＣＵ２１はコマンド線ＣＭを介してコマンドをやり取りすることによって連携する。また、ＤＳＤデコーダ１６はＤＳＤ制御線ＤＣを介してＭＣＵ２１から供給される制御信号によっても制御される。
【００３５】
ステップＳ１０では、データ読み出し装置３はＳＡＣＤからＴＯＣ情報を取り込み、該ＴＯＣ情報に応じてピックアップや各種の再生パラメータを調整する。なおここで、「各種の再生パラメータ」とはピックアップに対するトラッキング制御やフォーカス制御等の再生状態を一意に決定する種々の再生パラメータを意味する。
【００３６】
そして、ステップＳ１１ではＭＣＵ１５が定期的にＤＳＤデコーダ１６内における上記フラグの状態を監視することによってウォーターマークを解読できるか否かを判断し、活性化されたフラグが観測された場合において初めて、ステップＳ１２においてＣＤ用ＤＳＰ・サーボ部１２に対しＳＡＣＤの再生動作を指示する。これにより、データ再生装置１はＳＡＣＤの再生動作を開始する。
【００３７】
一方、ステップＳ１１においてＭＣＵ１５は該フラグを観測しない場合には、ウォーターマークを解読できないと判断し、ステップＳ２０へ進む。ステップＳ２０では、ＭＣＵ１５はウォーターマークの解読動作回数が予め設定された設定値を超えるか否かを判断し、該解読動作回数が該設定値を超えると判断した場合にはステップＳ２１へ進みディスクエラーと判断すると共に、超えないと判断した場合にはステップＳ１１へ戻って上記設定値に示される回数までウォーターマークの解読動作を繰り返す。
【００３８】
以上より、本発明の実施の形態に係るデータ読み出し装置３及びデータ読み出し方法とデータ再生装置１及びデータ再生方法によれば、装着されたディスクから読み出されるＲＦ信号の再生状態の特定の状態、すなわち、ウォーターマークが存在するタイミングにおける再生信号中におけるウォーターマークの有無とに依存して生成されるＰＳＰデータ値に応じて、該ディスクの種類が判別されるため、ディスク固有のＴＯＣ情報を読み出すことなく装着されたディスクを判別することができる。
【００３９】
従って、ディスクの判別に際して該ＴＯＣ情報の読み出しが必要とされないため、ディスクの種類に応じた再生パラメータの調整をより早いタイミングで可能とし、再生動作を開始するまでの時間を短縮して高速な再生を実現することができる。
【００４０】
また、本発明の実施の形態に係るデータ読み出し装置３及びデータ読み出し方法とデータ再生装置１及びデータ再生方法によれば、ＰＳＰデータ値に応じてディスクの判別がなされるため、電源の状態が不安定である場合や再生対象とされるディスクに損傷がある場合等においても精度良くディスクを判別してデータを再生することができる。
【００４１】
【発明の効果】
本発明に係るデータ読み出し装置及びデータ読み出し方法とデータ再生装置及びデータ再生方法によれば、ディスクに記録されたＴＯＣ情報を読み出すことなくディスクの種類を判別し再生動作を実行するため、ディスクの高速な再生を実現することができる。
【図面の簡単な説明】
【図１】本発明の実施の形態に係るデータ再生装置の構成を示すブロック図である。
【図２】図１に示されたデータ再生装置の動作を示すフローチャートである。
【図３】従来のデータ再生装置の動作を示すフローチャートである。
【符号の説明】
１  データ再生装置、３  データ読み出し装置、５  ビデオブロック、７  オーディオブロック、１０  ピックアップ、１１  ＲＦアンプ、１２  ＣＤ用ＤＳＰ・サーボ部、１３  ドライバ、１４  ＤＶＤ用ＤＳＰ、１５  ＭＣＵ（microcomputer unit）、１６  ＤＳＤデコーダ、２０  ＭＰＥＧ２ブロック、２１  ＭＣＵ（ＭＰＥＧ・ＤＳＤコントロール用）、２３  ユーザコントロール／ディスプレイ、３０〜３３  Ｄ／Ａコンバータ、ＡＶ  ＡＶインタフェース線、ＣＭ  コマンド線、ＤＣ  ＤＳＤ制御線、ＡＤ  オーディオ線。
【図１】
0004019708.tif 000002
【図２】
0004019708.tif 000003
【図３】
0004019708.tif 000004